(57)【要約】【課題】スペースファクターが優れていて、配線箱にコンパクトに収容することができる光通信用モジュール。コンパクトに、かつ、出し入れが容易に、複数個の光通信用モジュールを収容した配線箱。【解決手段】光モジュールの筐体を入出力部４と光部品収納部５とにより構成させ、直方形の入出力部４には、同じ面に入力端と出力端とを配備する入出力面２を設け、該入出力面と反対側の面の端部または中央部に、該入出力面の反対側の面と垂直方向に板状に延びるように、光部品収納部５を設け、該光部品収納部の厚さを、該入出力面の幅の半分以下にする。また、光モジュールの複数個に於ける、各板状の光部品収容部の板面同志を、平行に対峙させ、組み合わせた外側がほぼ直方形を形成するように組み合わせ、この組み合わせたものの複数組を含むユニットを形成させ、そのユニットを配線箱に収容する。【選択図】　　　　図１
2004077782.tif 000002
【特許請求の範囲】
【請求項１】
光通信用のモジュールであって、筐体を入出力部と光部品収納部とにより構成させ、直方形の入出力部には、同じ面に入力端と出力端とを配備する入出力面を設け、該入出力面と反対側の面の端部または中央部に、該入出力面の反対側の面と垂直方向に板状に延びるように、光部品収納部を設け、該光部品収納部の厚さを、該入出力面の幅の半分以下にしたことを特徴とする光モジュール。
【請求項２】
請求項１に記載した光モジュールの複数個に於ける、各板状の光部品収容部の板面同志が、平行に対峙し、組み合わせた外側がほぼ直方形を形成するように組み合わせられ、この組み合わせの複数組を含むユニットが形成され、そのユニットが収容されたことを特徴とする配線箱。
【請求項３】
請求項２に記載の配線箱であって、光モジュールの入出力面と向き合った面が開閉自在であることを特徴とする配線箱。
【発明の詳細な説明】
【０００１】
【発明の属する技術分野】
本発明は、筐体に光ファイバの分岐部や光受動部品を収納した光モジュールおよび複数個の光モジュールを組んでユニットとし、これを収容した配線箱に関するものである。
【０００２】
【従来の技術】
光ファイバの分岐部や光受動部品は、機械的な保護のため、通常、直方形の筐体に収納され、光モジュールとされるが、外部との接続に、入出力両方ともにコードを用いるということは希で、入出力のどちらかは、筐体の入出力面となる側面に配備されたアダプタのところで、コネクタを挿抜することにより実施される。
【０００３】
【発明が解決しようとする課題】
入出力のためのアダプタが配備される筐体の入出力面となる側面の幅は、当然のことながら、アダプタの大きさにより制約を受ける。すなわち、入出力面となる側面の幅は、アダプタが配備されるだけの大きさが必要であり、それより狭くすることは出来ない。このように、筐体の入出力面となる側面の幅が狭くできないため、入出力面を一面だけとすると、直方形の筐体を使用した光モジュールの実装密度を上げることができないという問題があった。また、実装密度を上げようとして、直方形の筐体の前部面と後部面の２面を入出力面とすると、光モジュールを配線箱に収納した後、配線替えなどのため、光モジュールを配線箱から取り出す際に、光モジュールを前部面の側に取り出そうとすると、後部面の側の配線を外さねばならず、後部面の側に取り出そうとすると、前部面の側の配線を外さねばならないなど、大変手間がかかるという問題があった。
【０００４】
【課題を解決するための手段】
本発明は、実装密度が上げられる光モジュール、および、出し入れが容易なように、複数の光モジュールを収納した配線箱を提供することを目的とする。
本発明の第一の特徴は、光モジュールの筐体を入出力部と光部品収納部とにより構成させ、直方形の入出力部には、同じ面に入力端と出力端とを配備する入出力面を設け、該入出力面と反対側の面の端部または中央部に、該入出力面の反対側の面と垂直方向に板状に延びるように、光部品収納部を設け、該光部品収納部の厚さを、該入出力面の幅の半分以下にしたことである。
また、本発明の他の特徴は、光モジュールの複数個に於ける、各板状の光部品収容部の板面同志が、平行に対峙し、組み合わせた外側がほぼ直方形を形成するように組み合わせられ、この組み合わせの複数組を含むユニットが形成され、そのユニットが収容された配線箱にある。
【０００５】
【発明の実施の形態】
以下に、図に基づいて本発明の内容を説明する。
図１は、アダプタ入力、アダプタ出力の場合の光モジュールの例を示し、図２はコードまたは心線入力、アダプタ出力の場合の光モジュールの例を示す。
いずれも、筐体は、入出力部４と、光部品収容部５とにより構成されている。図１、図２の例では、入出力部４は、入力端と出力端とが同じ面に配備された入出力面２を有していて、アダプタ１はこの面に配備されている。また、該入出力面２と反対側の面の端部に、該入出力面の反対側の面と垂直な方向に板状に延びるように、光部品収納部５が設けられ、該光部品収納部５の厚さは、該入出力面２の幅の半分以下に形成されている。これらの場合、筐体の形状がＬ字型なので、Ｌ型モジュールと称する。
入出力面２と反対側の面の中央部に、入出力面の反対側の面と垂直な方向に板状に延びるように、光部品収納部を設ければ、筐体の形状はＴ字型となる。
以下、Ｌ型モジュールの例について説明するが、本発明には、筐体の形状がＴ字型の場合も含くまれるものとする。
【０００６】
図３は、Ｌ型モジュールＡ、Ｂの２つを、お互いに入出力面２が反対側に向くように組み合わせたところを示している。ＡとＢとに、同じ形状、同じ大きさのＬ字型の筐体を用いている場合、ＡとＢとを組み合わせた結果できるような、直方形をした筐体を用いていた従来の光モジュールに比べれば、２倍の実装密度にできる。しかも、同じ形状、同じ大きさの筐体を組み合わせて使用すれば、種々の形の筐体を準備する必要はない。
【０００７】
図４に、一つのＬ型モジュールと他の複数のＬ型モジュールとを組み合わせた例を示す。この場合、Ｌ型モジュールＡの入出力面の幅Ｗａを、Ｌ型モジュールＢの入出力面の幅Ｗｂの整数倍（たとえば図４では３倍）として、Ｌ型モジュールＡを１つに、Ｌ型モジュールＢを３個といった具合に組み合わせて１セットとする。同じ形状、同じ大きさのもの２つを組み合わせて１セットとする場合に比べれば若干デッドスペースを生じるが、これでも、すべて直方形の筐体を使用する場合よりは、スペースの使用効率が良い。
【０００８】
図５に、光モジュールを収容する配線箱の例を示す。
図５に於いて、６は配線箱、７は配線箱の両サイドの開閉自在の開閉面、８は開閉扉、９はユニットである。
ユニット９は、光モジュールの複数個に於ける、各板状の光部品収容部の板面同志が、平行に対峙し、組み合わせた外側がほぼ直方形を形成するように組み合わせられたものを複数組含んで形成される。
ユニットに組んだ状態で、光モジュールは配線箱に収容される。
ユニットに組んだ状態の光モジュールを配線箱に収容する際、光モジュールの入出力面を配線箱の開閉できる面に向けておけば、それぞれの光モジュールの出し入れが容易に実施できる。
光モジュールの入出力面が反対側に向くように組みあわせて、配線箱に収容した場合、入出力面がどちらに向いている光モジュールをも独立に出し入れ自由にするには、お互いに反対側に向いた２つの入出力面と、それぞれ向き合う配線箱の面がともに開閉自在であること、すなわち、図５に示した例のように、配線箱の開閉できる面が２面あることが好ましい。この開閉できる２面は、箱の両サイドの面でもよく、箱の前面と後面の２個所の面でもよい。
【０００９】
【実施例】
（実施例１）
図６に光モジュールの例として、カプラーを用いた分波モジュールの例を示す。
入力側のＳＣアダプタ１からの光ファイバ素線１１を、余長を持たせながらカプラー１２に導入し、２心に分波後も、それぞれ、やはり余長を持たせて、入力側のＳＣアダプタ１と同じ入出力面２に設けた出力側のＳＣアダプタ１に接続した。
入出力面２は、ＳＣアダプタ１の大きさに制約されて、幅を３０ｍｍにしたが、入出力面の反対側の面の端部に、入出力面の反対側の面と垂直方向に板状に延びるように設けた光部品収納部５の厚さは約半分の１３．５ｍｍにし、Ｌ型モジュールとした。
なお、他の部分の寸法は、それぞれ、図６中に記載した通りとした。
そして、１つのＬ型モジュールに１心から２心への分波回路、２組を収容した。
【００１０】
（実施例２）
実施例１のＬ型モジュールと、これと同じ形状で、同じ大きさのＬ型モジュールを、光部品収納部が平行になるように対峙させ、入出力面がお互いに反対側に向き、組み合わせた外側が直方形になるように組み合わせて１セットとし、１０セットをユニットに組み、このユニットを２段にして、それぞれのＬ型モジュールの入出力面を、図５に示した配線箱のどちらかの開閉面の方向に向けて、配線箱内に収容した。その結果、カプラを用いた１心から２心への分波回路が２組ずつ入った分波モジュールの４０モジュール分が６００×５００×４７０（ｍｍ）の一つの配線箱にコンパクトに収容できた。また、収容した各々の光モジュールの入力端と出力端とは同じ入出力面に設けられており、入出力面は、配線箱の開閉自在の面に面しているいるので、いずれの光モジュールも、反対側の面の配線を取り外すなどの作業を伴わずに、容易に出し入れができた。
なお、ユニットを２段にして収容しても、この配線箱の上部には、若干のスペースがあり、光ファイバの余長収容棚を設けた。
【００１１】
（従来例）
図７は直方形の筐体を用いた従来の光モジュールの例を示す。
筐体等の寸法は図７中に示した通りとした。
図７の例も、カプラを用いた分波モジュールで、後部面から入力した場合、光ファイバ素線１１に、ある程度の余長を持たせて、カプラー１２に導入して、２心に分波後も、やはり、それぞれの光ファイバ素線に、余長を持たせて、前部面に出力している。
（図中　▲１▼→▲２▼→▲３▼→▲４▼→▲５▼→▲６▼→▲７▼）
これと対称的に、前部面から入力したものは、同様に、それぞれの光ファイバ素線１１に、余長を持たせて、カプラー１２に導入し、２心に分波後、やはり、それぞれの光ファイバ素線に、余長を持たせて、後部面から出力している。
この光モジュールの場合、配線箱に収容後、前部面の方向に取り出そうとすると、後部面の配線を外さねばならず、後部面の方向に取り出そうとすると、前部面の配線を外さねばならない。
いずれにせよ、前部面側、後部面側を独立して、別々に、出し入れすることはできず、配線替えのときなど、大変に手間がかかる。
【００１２】
【発明の効果】
以上説明したように、本発明の光モジュールは、スペースファクターが優れていて、複数の光モジュールを配線箱にコンパクトに収容することができる。さらに、入力端、出力端を１つの入出力面に設けた筐体を使用するので、配線箱に収容した後に、配線箱から取り出すときも、反対面の配線の取り外しを必要とせず、入出力面と、向き合った面が開閉自在の配線箱内に収容することにより、それぞれの光モジュールを独立に出し入れができ、光モジュールの配線替えなどの操作が大変容易である。
【図面の簡単な説明】
【図１】本発明のＬ型モジュールの例を示す斜視図。
【図２】本発明のＬ型モジュールの別の例を示す斜視図。
【図３】本発明のＬ型モジュールで、同じ形、同じ大きさのものを２つ組み合わせた例を示す斜視図。
【図４】一つのＬ型モジュールと他の複数のＬ型モジュールとを組み合わせた例を示す平面図。
【図５】本発明の配線箱の例を示す斜視図。
【図６】本発明のＬ型モジュールの実施例を示す展開図。
【図７】従来のモジュールの例を示す展開図。
【符号の説明】
１　　ＳＣアダプタ
２　　入出力面
３　　コードまたは心線
４　　入出力部
５　　光部品収容部
６　　配線箱
７　　配線箱の開閉面
８　　開閉扉
９　　ユニット
１０　Ｌ型モジュール
１１　光ファイバ素線
１２　カプラー
【図１】
2004077782.tif 000003
【図２】
2004077782.tif 000004
【図３】
2004077782.tif 000005
【図４】
2004077782.tif 000006
【図５】
2004077782.tif 000007
【図６】
2004077782.tif 000008
【図７】
2004077782.tif 000009